(57)【要約】【課題】コンテンツの同時刻におけるコンテンツの再生対象が複数存在する場合の未再生部分の再生方法が提供されていない。【解決手段】コンテンツまたは当該コンテンツのメタ情報のうち少なくとも一方をコンテンツ取得部が取得し、当該コンテンツを再生部が再生する。コンテンツ範囲取得部はコンテンツの範囲またはオブジェクトの範囲のうち少なくとも一方を取得し、再生履歴作成部はコンテンツまたはオブジェクトの再生履歴のうち少なくとも一方を作成する。未再生部分処理部はコンテンツまたはオブジェクトの未再生部分範囲のうち少なくとも一方を取得し、未再生部分再生処理部はコンテンツの再生表示を作成する。【選択図】図３
2006164415.tif 000002
【特許請求の範囲】
【請求項１】
コンテンツまたは前記コンテンツのメタ情報のうち少なくとも一方を取得するコンテンツ取得部と、
前記コンテンツを再生する再生部を有する再生装置であって、
前記オブジェクトの視聴有無を判定するオブジェクト判定部と
前記オブジェクトの再生履歴を作成するオブジェクト再生履歴作成部と、
前記オブジェクトの未再生部分範囲を取得する未再生部分処理部と、
前記オブジェクトの再生表示を作成する未再生部分再生処理部と、
を有することを特徴とする再生装置。
【請求項２】
前記再生装置は、前記コンテンツの範囲を取得するコンテンツ範囲取得部をさらに有することを特徴とする請求項１に記載の再生装置。
【請求項３】
前記再生装置は、前記コンテンツの再生履歴を作成する再生履歴作成部を有することを特徴とする請求項１に記載の再生装置。
【請求項４】
前記未再生部分処理部は、オブジェクトまたはコンテンツのうち少なくとも一方の未再生部分範囲を取得することを特徴とする請求項１に記載の再生装置。
【請求項５】
前記未再生部分再生処理部は、オブジェクトまたはコンテンツのうち少なくとも一方の未再生表示を作成することを特徴とする請求項１に記載の再生装置。
【請求項６】
前記コンテンツは３次元空間を含むことを特徴とする請求項１から５の何れか一項に記載の再生装置。
【請求項７】
前記コンテンツは多画面であることを特徴とする請求項１から５の何れか一項に記載の再生装置。
【請求項８】
前記オブジェクトの再生履歴は、前記オブジェクトの再生範囲を記録することを特徴とする請求項１から７の何れか一項に記載の再生装置。
【請求項９】
前記オブジェクトの視聴有無は、前記オブジェクトの一部を再生部が再生したことを視聴したとみなすことを特徴とする請求項１から７の何れか一項に記載の再生装置。
【請求項１０】
前記オブジェクトの再生表示は、前記オブジェクトの未再生範囲をもとに作成することを特徴とする請求項１から７の何れか一項に記載の再生装置。
【請求項１１】
前記オブジェクトの再生表示は、コンテンツステータスバーを表示することを特徴とする請求項１から７の何れか一項に記載の再生装置。
【請求項１２】
前記オブジェクトの再生表示は、チャプター表示することを特徴とする請求項１から６の何れか一項に記載の再生装置。
【請求項１３】
前記オブジェクトの再生表示は、オブジェクトの再生方法を表示することを特徴とする請求項１から６の何れか一項に記載の再生装置。
【請求項１４】
前記オブジェクトの再生方法は、オブジェクトの未再生部分をもとに再生する方法であることを特徴とする請求項１から６の何れか一項に記載の再生装置。
【請求項１５】
前記未再生部分をもとに再生する方法は、未再生部分を選択して再生する方法であることを特徴とする請求項１から６の何れか一項に記載の再生装置。
【請求項１６】
コンテンツまたは前記コンテンツのメタ情報のうち少なくとも一方を取得するステップと、
前記コンテンツを再生するステップと、
前記コンテンツの範囲または前記オブジェクトの範囲のうち少なくとも一方を取得するステップと、
前記コンテンツの再生履歴を作成するステップと、
前記オブジェクトの視聴有無を判定するステップと、
前記オブジェクトの再生履歴を作成するステップと、
前記コンテンツまたは前記オブジェクトの未再生部分範囲のうち少なくとも一方を取得するステップと、
前記コンテンツまたは前記オブジェクトの再生表示を作成するステップと、
を有することを特徴とする再生方法。
【請求項１７】
コンテンツまたは前記コンテンツのメタ情報のうち少なくとも一方を取得するステップと、
前記コンテンツを再生するステップと、
前記コンテンツの範囲または前記オブジェクトの範囲のうち少なくとも一方を取得するステップと、
前記コンテンツの再生履歴を作成するステップと、
前記オブジェクトの視聴有無を判定するステップと、
前記オブジェクトの再生履歴を作成するステップと、
前記コンテンツまたは前記オブジェクトの未再生部分範囲のうち少なくとも一方を取得するステップと、
前記コンテンツまたは前記オブジェクトの再生表示を作成するステップと、
を有することを特徴とするコンテンツ再生方法をコンピュータに実行させるためのプログラム。
【請求項１８】
請求項１７に記載のプログラムを記録した記録媒体。
【請求項１９】
コンテンツを再生する再生装置の集積回路であって、
前記集積回路は、
コンテンツまたは前記コンテンツのメタ情報のうち少なくとも一方を取得するコンテンツ取得手段と前記コンテンツを再生する再生手段を備え、
前記集積回路は、
前記コンテンツの範囲または前記コンテンツのオブジェクトの範囲のうち少なくとも一方を取得するコンテンツ範囲取得手段と、
前記コンテンツの再生履歴を作成する再生履歴作成手段と、
前記オブジェクトの再生履歴を作成するオブジェクト再生履歴作成手段と、
前記コンテンツまたはオブジェクトの未再生部分範囲のうち少なくとも一方を取得する未再生部分処理手段と、
前記コンテンツまたは前記オブジェクトの再生表示を作成する未再生部分再生処理手段と、
を有することを特徴とする集積回路。
【発明の詳細な説明】
【技術分野】
【０００１】
本発明は、コンテンツ再生編集表示システムに係り、映像や音声等のコンテンツデータ（以下コンテンツと略）を送信し、ユーザの端末装置においてコンテンツを受信し、コンテンツの再生及び表示を行うシステムに関するものである。
【背景技術】
【０００２】
近年、コンテンツ提供者から提供される映像や音声等のコンテンツがデジタル化され、様々な場面において利用されている。
【０００３】
コンテンツの未再生部分の再生に関連する技術としては、特許文献１のように、予め複数に分割されたコンテンツの各部分の再生の有無を記録した再生履歴情報を利用し、コンテンツの未再生部分をユーザに対して提示する方法が提案されている。
【特許文献１】特開２０００−２５１４５５号公報
【発明の開示】
【発明が解決しようとする課題】
【０００４】
しかしながら、上記未再生部分の再生方法の場合、コンテンツの再生履歴は、コンテンツ本体を再生したかどうかを記録する方法であるが、同時刻におけるコンテンツの再生対象が複数存在する場合の未再生部分の再生方法が提供されていないことが問題である。
【０００５】
本発明は従来の課題を解決するもので、コンテンツの再生に関して、同時刻におけるコンテンツの再生対象が複数存在する場合の再生状況を再生装置において管理し、ユーザがコンテンツの再生対象における未再生部分をもとにしたコンテンツの再生や表示を可能とする、情報再生表示装置及び方法を提供することを目的とする。
【課題を解決するための手段】
【０００６】
前記従来の課題を解決するために、本発明の再生装置は、コンテンツまたは前記コンテンツのメタ情報のうち少なくとも一方を取得するコンテンツ取得部と、前記コンテンツを再生する再生部を有する再生装置であって、前記オブジェクトの視聴有無を判定するオブジェクト判定部と前記オブジェクトの再生履歴を作成するオブジェクト再生履歴作成部と、前記オブジェクトの未再生部分範囲を取得する未再生部分処理部と、前記オブジェクトの再生表示を作成する未再生部分再生処理部と、を有することを特徴とする。
【０００７】
本発明はまた、コンテンツまたは当該コンテンツのメタ情報のうち少なくとも一方を取得するステップと、前記コンテンツを再生するステップと、前記コンテンツの範囲または前記オブジェクトの範囲のうち少なくとも一方を取得するステップと、前記コンテンツの再生履歴を作成するステップと、前記オブジェクトの視聴有無を判定するステップと、前記オブジェクトの再生履歴を作成するステップと、前記コンテンツまたは前記オブジェクトの未再生部分範囲のうち少なくとも一方を取得するステップと、前記コンテンツまたは前記オブジェクトの再生表示を作成するステップと、を有することを特徴とする再生方法を提供する。
【０００８】
本発明の一実施の形態において、前記再生装置は、前記コンテンツの範囲を取得するコンテンツ範囲取得部をさらに有する。
【０００９】
本発明の一実施の形態において、前記再生装置は、前記コンテンツの再生履歴を作成する再生履歴作成部を有する。
【００１０】
本発明の一実施の形態において、前記未再生部分処理部は、オブジェクトまたはコンテンツのうち少なくとも一方の未再生部分範囲を取得する。
【００１１】
本発明の一実施の形態において、前記未再生部分再生処理部は、オブジェクトまたはコンテンツのうち少なくとも一方の未再生表示を作成する。
【００１２】
本発明の一実施の形態において、前記コンテンツは３次元空間を含む。
【００１３】
本発明の一実施の形態において、前記コンテンツは多画面である。
【００１４】
本発明の一実施の形態において、前記オブジェクトの再生履歴は、前記オブジェクトの再生範囲を記録する。
【００１５】
本発明の一実施の形態において、前記オブジェクトの視聴有無は、前記オブジェクトの一部を再生部が再生したことを視聴したとみなす。
【００１６】
本発明の一実施の形態において、前記オブジェクトの再生表示は、前記オブジェクトの未再生範囲をもとに作成する。
【００１７】
本発明の一実施の形態において、前記オブジェクトの再生表示は、コンテンツステータスバーを表示する。
【００１８】
本発明の一実施の形態において、前記オブジェクトの再生表示は、チャプター表示する。
【００１９】
本発明の一実施の形態において、前記オブジェクトの再生表示は、オブジェクトの再生方法を表示する。
【００２０】
本発明の一実施の形態において、前記オブジェクトの再生方法は、オブジェクトの未再生部分をもとに再生する方法である。
【００２１】
本発明の一実施の形態において、前記未再生部分をもとに再生する方法は、未再生部分を選択して再生する方法である。
【００２２】
本発明はまた、上述のコンテンツ再生方法をコンピュータに実行させるためのプログラム、およびこれを記録した記録媒体、およびこれを備えた集積回路もまた包含する。
【発明の効果】
【００２３】
本発明の未視聴部分をもとにした情報再生表示装置とその方法によれば、ユーザが視聴忘れを起こした、視聴を中断した等に起因するコンテンツ内の未視聴部分を効率的に視聴することができる。特に、３次元空間を扱うコンテンツでは、ユーザが見逃したコンテンツの再生対象に対するコンテンツの視聴を促すことができる。
【００２４】
また、コンテンツにおける重要部分を設定することによって、コンテンツやコンテンツを構成するオブジェクトの未視聴部分に存在する重要部分を見逃すことを避けることができる。
【００２５】
本発明は、以下の実施の形態および添付の図面を用いて説明されるが、これは例示を目的としており、本発明はこれらに限定されることを意図しない。
【発明を実施するための最良の形態】
【００２６】
以下本発明の実施の形態について、図面を参照しながら詳細に説明する。
【００２７】
（実施の形態１）
（本明細書で用いる用語の定義）
本明細書中に記述される用語について、以下において定義を行う。但し、各用語は実施の形態の理解を容易にするためにまとめたもので、用語の説明内容に限定されるものではない。
【００２８】
「コンテンツ範囲」とは、コンテンツの開始地点とコンテンツの終了地点を意味する。
【００２９】
「視聴」とは、コンテンツを再生することによって、ユーザがコンテンツの情報を見聞きすることを意味する。
【００３０】
「視聴履歴対象操作」とは、視聴履歴に記録するコンテンツの視聴形態を意味する。例えば通常再生や巻き戻し、早送り等である。本明細書では特に断りが無い限り通常再生を視聴履歴対象操作として扱うこととする。
【００３１】
「視聴履歴」とは、ユーザがコンテンツを視聴した場合に、コンテンツの視聴履歴対象操作の状況を記録した情報を意味する。例えば、コンテンツの視聴を始めた地点やコンテンツの視聴を終了した地点、視聴部分を視聴した時間、または上記の情報から算出できる情報等を記録する。
【００３２】
「視聴部分」とは、ユーザが視聴履歴対象操作によって、視聴を行ったコンテンツの区間を意味する。
【００３３】
「重複視聴部分」とは、視聴履歴に記述される複数の視聴部分のうち、コンテンツの同じ区間を２回以上視聴したコンテンツの区間を意味する。
【００３４】
「未視聴部分」とは、ユーザが視聴履歴対象操作によって、未だ視聴を行っていないコンテンツの区間を意味する。
【００３５】
「未視聴部分時間」とは、コンテンツの全ての未視聴部分を視聴するために必要な時間を意味する。
【００３６】
「ネットワーク」とは、再生装置と外部の装置の間に有線または無線で構成された情報網を意味する。例えば、インターネットや放送波、携帯やＰＨＳの電波等が含まれる。
【００３７】
「記録メディア」とは、情報を読み取るまたは書き込むための記録媒体を意味する。例えばフロッピー（登録商標）ディスクやＣＤ−ＲＯＭ、ＳＤカード等が含まれる。
【００３８】
「通常再生」とは、再生装置がコンテンツの視聴情報を、ユーザの実時間の経過に対応させて視聴部へ送る処理を意味する。例えば、ユーザが再生装置の再生のボタンを押すと、再生装置は通常再生と認識し、実時間で１秒経過すればコンテンツの視聴情報を１秒経過したコンテンツの内容を視聴部に提示することである。
【００３９】
「特殊再生」とは、再生装置がコンテンツの視聴情報を、ユーザの実時間の経過に対応させず視聴部へ送る処理を意味する。例えば、実時間の経過と逆の時間の流れでコンテンツを制御することを「巻き戻し」と呼び、実時間の経過より早くコンテンツを制御することを「早送り」という。一例として、巻き戻しは通常再生の４倍の早さであるとすると、ユーザが再生装置の巻き戻しのボタンを押すと、再生装置は巻き戻しと認識し、実時間で１秒経過すればコンテンツの視聴情報を４秒前のコンテンツの内容を視聴部で表示するようにすることである。但し、停止は特殊再生に含まれないものとする。
【００４０】
「再生」とは、通常再生と特殊再生によって、コンテンツの視聴の有無を問わずコンテンツを利用することを意味する。
【００４１】
「停止」とは、ユーザがコンテンツの通常再生や特殊再生を行わない処理を意味する。例えば、再生装置の主電源が入っていない状態、再生装置の主電源は入っているがストリームプレイヤを全く起動させていない状態や、再生装置の主電源は入っておりストリームプレイヤは起動させているがコンテンツの視聴を行っていない状態等のコンテンツの再生を行っていない状態である。
【００４２】
（コンテンツについて）
複数の再生対象を持つコンテンツとして、３次元空間を扱うコンテンツを挙げる。図１に示すコンテンツは、コンテンツの再生対象として人１１０、犬１２０、家１３０を含む３次元空間１００を表す。また、前記コンテンツ中に含まれる個々の再生対象をそれぞれ、「オブジェクト」と呼ぶ。例えば、視聴可能なコンテンツの中に、人、家および犬の映像が登場する場合に、それぞれを「オブジェクト」と呼ぶ。
【００４３】
そして、コンテンツは視聴可能な空間の設定内において、各オブジェクトの立体的な位置情報を含む。
【００４４】
上記コンテンツを視聴する場合、ユーザは、視聴する視点位置や範囲等を設定し視聴を行う。例えば図２（１）の視点から３次元空間２００のコンテンツを視聴した場合、犬２２０が視聴するオブジェクトとなる。同様に、図２（２）の視点から３次元空間２００のコンテンツを視聴した場合、人２１０と家２３０が視聴するオブジェクトとなる。図２（３）の視点から３次元空間２００のコンテンツを視聴した場合、視聴するオブジェクトは存在しない。
【００４５】
つまり、同時刻にコンテンツを視聴した場合において、コンテンツを視聴する視点の位置によって、視聴するオブジェクトが変化することを示す。
【００４６】
（概略構成について）
３次元空間のコンテンツを扱う為に、図３は本発明の実施の形態における再生装置３２０の概略構成を示している。
【００４７】
コンテンツサーバ３００は、コンテンツ３０１とオブジェクトメタ情報３０２を含み、ネットワーク３１０との接続を有する。
【００４８】
視聴部３８０と作業指示部３８１は、入出力部３７０との接続を有する。
【００４９】
再生装置３２０は、データ受信部３３０と蓄積部３４０と再生部３５０と未視聴部分処理部３６０と入出力部３７０と未視聴部分再生処理部３９０を持つ。
【００５０】
データ受信部３３０は、ネットワーク３１０と蓄積部３４０との接続を有する。
【００５１】
蓄積部３４０は、データ受信部３３０で取得したコンテンツ３０１とオブジェクトメタ情報３０２、視聴履歴作成部３５２が作成した視聴履歴３４１とオブジェクト視聴履歴作成部３５４が作成したオブジェクト視聴履歴３４２を格納する。
【００５２】
再生部３５０は、コンテンツ範囲取得部３５１と視聴履歴作成部３５２とオブジェクト判定部３５３とオブジェクト視聴履歴作成部３５４との接続を有し、蓄積部３４０と未視聴部分処理部３６０と入出力部３７０と未視聴部分再生処理部３９０との接続を有する。
【００５３】
作成した視聴履歴３４１やオブジェクト視聴履歴３４２を蓄積部３４０へ格納する指示があった場合は、視聴履歴３４１やオブジェクト視聴履歴３４２を蓄積部３４０へ格納する。未視聴部分処理部３６０は、蓄積部３４０と再生部３５０と未視聴部分再生処理部３９０との接続を有する。
【００５４】
未視聴部分再生処理部３９０は、再生部３５０と入出力部３７０と未視聴部分処理部３６０との接続を有する。
【００５５】
（動作の概要）
上記の構造を持つ再生装置３２０の動作の概要を、図３を用いて説明する。
【００５６】
まず、ユーザは利用したいコンテンツをネットワーク３１０に接続されている複数のコンテンツサーバから探す。
【００５７】
そして、ユーザが利用したいコンテンツを発見した場合、再生装置３２０内のデータ受信部３３０を用いて、コンテンツサーバ３００より対象のコンテンツ３０１とオブジェクトメタ情報３０２を取得する。
【００５８】
データ受信部３３０に取得されたコンテンツ３０１とオブジェクトメタ情報３０２は、蓄積部３４０に格納される。
【００５９】
ユーザは、再生装置３２０内に蓄積されたコンテンツ３０１を視聴する場合、作業指示部３８１を利用して、再生装置３２０に対象コンテンツ３０１の視聴指示を送る。
【００６０】
ユーザから送られた対象コンテンツ３０１の視聴指示は、再生装置３２０内の入出力部３７０において中継され、再生部３５０に送られる。
【００６１】
ユーザからの視聴指示を受けた再生部３５０は、蓄積部３４０から対象コンテンツ３０１と対象オブジェクトメタ情報３０２を取り出し視聴情報を入出力部３７０に送る。前記処理に併せて、視聴履歴作成部３５２は、コンテンツの再生履歴情報である視聴履歴を、オブジェクト視聴履歴作成部３５４は、前記視聴情報を基にオブジェクト判定部３５３で判断した対象オブジェクトの情報を取得し、オブジェクトの再生履歴情報であるオブジェクト視聴履歴を作成する。
【００６２】
再生部３５０から視聴情報を受けた入出力部３７０は、再生部３５０から受け取った視聴情報を視聴部３８０に送る。
【００６３】
入出力部３７０から視聴情報を受け取った視聴部３８０は、ユーザに対して視聴情報を提示することにより、ユーザはコンテンツ３０１の視聴を行うことができる。
【００６４】
また、再生装置３２０内に蓄積されたコンテンツ３０１の未視聴の部分を判定する場合、ユーザは作業指示部３８１を用いて再生装置３２０に指示を送る。
【００６５】
上記の判定の指示を受けた入出力部３７０は、未視聴部分処理部３６０に指示を送る。
【００６６】
入出力部３７０から指示を受けた未視聴部分処理部３６０は、再生部３５０と蓄積部３４０に対して未視聴部分処理部３６０に情報を送る様に指示を送る。
【００６７】
未視聴部分処理部３６０に送られる情報は、再生部３５０のコンテンツ範囲取得部３５１から対象コンテンツ３０１のコンテンツ範囲と、再生部３５０の視聴履歴作成部３５２から蓄積部３４０に格納する前の視聴履歴と、再生部３５０のオブジェクト視聴履歴作成部３５４から蓄積部３４０に格納する前のオブジェクト視聴履歴、蓄積部３４０に格納されている現在までの視聴履歴３４１とオブジェクト視聴履歴３４２とオブジェクトメタ情報３０２である。
【００６８】
上記の全ての情報を受け取った未視聴部分処理部３６０は、コンテンツ３０１の未視聴部分とコンテンツ３０１内の各オブジェクトの未視聴部分を求める処理を行う。
【００６９】
コンテンツ３０１内の未視聴部分とコンテンツ３０１内の各オブジェクトの未視聴部分を求めた後、未視聴部分処理部３６０は未視聴部分再生処理部３９０に処理結果を送る。
【００７０】
未視聴部分処理部３６０から処理結果を受けた未視聴部分再生処理部３９０は、未視聴部分処理部３６０からの処理結果を元に入出力部を通して視聴部３８０に処理結果の表示を行う。
【００７１】
ユーザは、視聴部３８０に表示された内容を確認し、作業指示部３８１を用いて表示結果に対する指示を入力し、入出力部３７０を通して、指示内容を未視聴部分再生処理部３９０に伝える。
【００７２】
ユーザからの指示内容を受けた未視聴部分再生処理部３９０は、指示内容を処理し、再生部３５０に再生指示を送る。
【００７３】
再生指示を受けた再生部３５０は、入出力部３７０を通して視聴部３８０に対して、コンテンツ３０１の視聴表示を行う。
【００７４】
（オブジェクトメタ情報について）
オブジェクトメタ情報とは、コンテンツに含まれているオブジェクトに関する情報を記述したファイルを意味する。特に本実施の形態において、オブジェクトメタ情報は、コンテンツに存在する各オブジェクトにおいて、各オブジェクトが視聴可能なコンテンツの範囲が記述される。
【００７５】
前記オブジェクトメタ情報は、コンテンツＩＤ、オブジェクト名、オブジェクト開始ポイント、オブジェクト終了ポイントを含む。以降、コンテンツＩＤ、オブジェクト名、オブジェクト開始ポイント、オブジェクト終了ポイントの組をオブジェクトセット情報とする。
【００７６】
前記オブジェクトメタ情報のコンテンツＩＤは、オブジェクトが含まれる上記コンテンツに割り当てられる固有の値とする。
【００７７】
前記オブジェクトメタ情報のオブジェクト名は、上記コンテンツのオブジェクトに固有の名称とする。
【００７８】
前記オブジェクトメタ情報のオブジェクト開始ポイントは、上記コンテンツのオブジェクトがコンテンツ内での存在を開始したコンテンツの位置を表す値とする。
【００７９】
前記オブジェクトメタ情報のオブジェクト終了ポイントは、上記コンテンツのオブジェクトがコンテンツ内での存在を終了したコンテンツの位置を表す値とする。
【００８０】
具体的なオブジェクトメタ情報の記述方法を、図４を用いて説明する。
【００８１】
まず、コンテンツ４００は、コンテンツＩＤがＣｏｎｔＩＤ００２であり、コンテンツ範囲は、コンテンツの先頭箇所のＰＴＳの値がａ、コンテンツの末尾箇所のＰＴＳの値がｇである。以降、本明細書中において、コンテンツの先頭箇所をコンテンツ開始ポイント、コンテンツの末尾箇所をコンテンツ終了ポイントとする。また、本明細書中において、コンテンツの位置を表す値として、ＭＰＥＧ２のＰＴＳの値を用いる。
【００８２】
また、コンテンツ４００におけるオブジェクトは、犬と人と家がある。前記各オブジェクトがコンテンツ内に存在する範囲は、まず犬に関してはＰＴＳの値がａからｂ、ｅからｇ、次に人に関してはＰＴＳの値がｂからｃ、ｄからｅ、ｆからｇ、最後に家に関してはＰＴＳの値がｃからｇである。
【００８３】
よって、図４におけるオブジェクトメタ情報４１０内の記述は、コンテンツＩＤはＣｏｎｔＩＤ００２、オブジェクト名は犬、人、家、オブジェクト開始ポイント及びオブジェクト終了ポイントは上記個々のオブジェクトに対応するＰＴＳの値とする。
【００８４】
（視聴履歴とオブジェクト視聴履歴について）
コンテンツの通常再生が行われた際に、視聴履歴作成部は視聴履歴を、オブジェクト視聴履歴作成部はオブジェクト視聴履歴を作成する。
【００８５】
視聴履歴は、視聴したコンテンツの履歴情報を持つ。
【００８６】
前記視聴履歴は、どの対象コンテンツをどれだけ視聴したかを示す情報であり、例えば、コンテンツＩＤと視聴履歴情報で構成され、視聴履歴情報は、対象コンテンツをどこからどこまで視聴したかを示す情報であり、例えば、視聴開始ポイントと視聴時間で構成される。
【００８７】
前記視聴履歴のコンテンツＩＤは、視聴したコンテンツに割り当てられる固有の値とする。
【００８８】
前記視聴履歴の視聴開始ポイントは、コンテンツの再生を開始したコンテンツの位置を表す値とする。
【００８９】
前記視聴履歴の視聴時間は、視聴開始ポイントから再生が終了するまでの間の値とする。
【００９０】
また、前記オブジェクト視聴履歴は、オブジェクトメタ情報に記述される各オブジェクトに対して、視聴したオブジェクトの履歴情報を持つ。
【００９１】
前記オブジェクト視聴履歴は、コンテンツＩＤ、オブジェクト名、視聴開始ポイント、視聴時間で構成する。
【００９２】
前記オブジェクト視聴履歴のコンテンツＩＤは、オブジェクトが含まれる上記コンテンツに割り当てられる固有の値とする。
【００９３】
前記オブジェクト視聴履歴のオブジェクト名は、上記コンテンツのオブジェクトに固有の名称とする。
【００９４】
前記オブジェクト視聴履歴の視聴開始ポイントは、上記コンテンツのオブジェクトの再生を開始したコンテンツの位置を表す値とする。
【００９５】
前記オブジェクト視聴履歴の視聴時間は、上記視聴開始ポイントから再生が終了するまでの間の時間の値とする。
【００９６】
ところで、コンテンツを視聴している際に、視聴部に表示されるオブジェクトは、オブジェクト判定部３５３で判定を行う。
【００９７】
具体的には、上記コンテンツの説明時において既に図２を用いて説明済みである部分がオブジェクト判定部３５３の処理にあたる。本実施の形態において、オブジェクト判定部３５３におけるコンテンツ内のオブジェクトを視聴しているかどうかの判定は、視聴部にオブジェクトの一部が表示されれば視聴したと判断する。
【００９８】
上記の視聴履歴とオブジェクト視聴履歴の具体的な記述方法として、図５を用いて、図４に記載のオブジェクトメタ情報４１０を基にしたコンテンツ４００の視聴履歴とオブジェクト視聴履歴の記述方法を示す。
【００９９】
ユーザは、コンテンツ４００の視聴を行い、再生部は視聴部分５００にあたるＰＴＳの値がａからｂｃ、ｃｄからｇの範囲を再生する。
【０１００】
上記再生時において、コンテンツ４００が再生されていることより、視聴履歴作成部３５２は視聴履歴を作成する。
【０１０１】
図５における視聴履歴は、まずＰＴＳの値がａからｂｃの範囲を再生した区間に関して、コンテンツＩＤがＣｏｎｔＩＤ００２、視聴開始ポイントがａとなる。
【０１０２】
そして、図５における視聴履歴における視聴時間は、ＰＴＳの値をもとにした視聴の場合、下記算出方法により求めることができる。
【０１０３】
（視聴時間）＝（（再生終了時のＰＴＳの値）−（再生開始時のＰＴＳの値））／Ｄ
よって、図５における視聴履歴の視聴時間は、(ｂｃ−ａ)／Ｄとなる。
【０１０４】
ここで、以下、本明細書中と図面において、定数Ｄを９００００とする。例えば、ＭＰＥＧ２における映像や音声等の出力は、９万分の１秒毎に行われる。そこで出力する映像や音声等のタイムスタンプであるＰＴＳを利用すると、ＰＴＳの大きい値から小さい値の差分を取り９万分の１した値、または２つのＰＴＳの差分の絶対値を９万分の１した値は、２点間の実時間の差にあたる。定数Ｄは、Ｄ＝９００００に限定されるものではなく、データ出力のタイミングに基づき、設定される。
【０１０５】
同様にＰＴＳの値がｃｄからｇの範囲の再生を行うと、図６に示す視聴履歴６００となる。
【０１０６】
上記コンテンツの視聴部分の範囲中には、ユーザが視点を操作することで視聴したオブジェクト５１０の範囲も含まれる。
【０１０７】
しかし、オブジェクトメタ情報に記述されるオブジェクトが視聴部分において必ず視聴されるとは限らない。
【０１０８】
図５に関して、コンテンツ４００のＰＴＳ（Ｐｒｅｓｅｎｔａｔｉｏｎ  Ｔｉｍｅ  Ｓｔａｍｐ）の値がａからｂの範囲において、オブジェクトメタ情報には犬が記述されている。しかし、図５（１）に示すＰＴＳの値がａからａｂのコンテンツの範囲では、オブジェクト判定部によってオブジェクトの犬が視聴されていることが判断されるが、図５（２）に示すＰＴＳの値がａｂからｂのコンテンツの範囲では、オブジェクトの犬は視聴されていない。
【０１０９】
上記の場合、再生部のオブジェクト視聴履歴作成部は、ＰＴＳの値がａからａｂのコンテンツの範囲を、オブジェクトの犬に関するオブジェクト視聴履歴に記述する。
【０１１０】
オブジェクト視聴履歴は、コンテンツＩＤ、オブジェクト名、視聴開始ポイントと視聴時間で構成され、オブジェクト毎に作成する。
【０１１１】
図５の視聴したオブジェクト５１０より、オブジェクトの犬に関するオブジェクト視聴履歴６１０は、ＰＴＳの値がａからａｂの範囲に関して、コンテンツＩＤがＣｏｎｔＩＤ００２、オブジェクト名が犬、視聴開始ポイントのＰＴＳの値がａ、視聴時間が（ａｂ−ａ）／Ｄとなる。そして、ＰＴＳの値がｆからｇの範囲に関して、コンテンツＩＤがＣｏｎｔＩＤ００２、オブジェクト名が犬、視聴開始ポイントのＰＴＳの値がｆ、視聴時間が（ｇ−ｆ）／Ｄとなる。
【０１１２】
また、オブジェクトの人に関するオブジェクト視聴履歴６２０は、ＰＴＳの値がｂからｂｃの範囲に関して、コンテンツＩＤがＣｏｎｔＩＤ００２、オブジェクト名が人、視聴開始ポイントのＰＴＳの値がｂ、視聴時間が（ｂｃ−ｂ）／Ｄとなる。そして、ＰＴＳの値がｄからｅの範囲に関して、コンテンツＩＤがＣｏｎｔＩＤ００２、オブジェクト名が人、視聴開始ポイントのＰＴＳの値がｄ、視聴時間が（ｅ−ｄ）／Ｄとなる。同様に、ＰＴＳの値がｆからｇの範囲に関して、コンテンツＩＤがＣｏｎｔＩＤ００２、オブジェクト名が人、視聴開始ポイントのＰＴＳの値がｆ、視聴時間が（ｇ−ｆ）／Ｄとなる。
【０１１３】
さらに、オブジェクトの家に関するオブジェクト視聴履歴６３０は、ＰＴＳの値がｃｄからｅｆの範囲に関して、コンテンツＩＤがＣｏｎｔＩＤ００２、オブジェクト名が家、視聴開始ポイントのＰＴＳの値がｃｄ、視聴時間が（ｃｄ−ｅｆ）／Ｄとなる。そしてＰＴＳの値がｆｇからｇの範囲に関して、コンテンツＩＤがＣｏｎｔＩＤ００２、オブジェクト名が家、視聴開始ポイントのＰＴＳの値がｆｇ、視聴時間が（ｇ−ｆｇ）／Ｄとなる。
【０１１４】
上記の視聴履歴と、犬と人と家のオブジェクト視聴履歴をまとめた図が、図６となる。
【０１１５】
視聴履歴作成部から蓄積部へ視聴履歴を、オブジェクト視聴履歴作成部から蓄積部へオブジェクト視聴履歴を移動するタイミングは、対象とするコンテンツの視聴が終了した場合であっても良いし、前記視聴履歴や前記オブジェクト視聴履歴を作成した後であっても良い。
【０１１６】
（未視聴部分処理部について）
未視聴部分処理部は、視聴履歴作成部または蓄積部より得られる視聴履歴とコンテンツ範囲取得部より得られるコンテンツ範囲を用いて、コンテンツにおける未視聴部分を算出する処理を行う。
【０１１７】
コンテンツの未視聴部分の算出方法の概要は、コンテンツ範囲によって得られるコンテンツの範囲中から、視聴履歴によって得られる視聴部分を除いたコンテンツ部分を求める。前記コンテンツ部分がコンテンツの未視聴部分となる。
【０１１８】
具体的なコンテンツの未視聴部分の算出方法について、図７を用いて説明する。
【０１１９】
まず、未視聴部分処理部は、コンテンツの再生履歴情報を取得する。
【０１２０】
コンテンツ７００の再生履歴情報７１０は、コンテンツ範囲７２０と視聴履歴７３０で構成される。
【０１２１】
コンテンツ範囲７２０は、コンテンツ開始ポイントのＰＴＳの値がα、コンテンツ開始ポイントのＰＴＳの値がιと記述される。
【０１２２】
視聴履歴７３０は、コンテンツＩＤが全ての視聴部分に共通でＣｏｎｔＩＤ００１、視聴開始ポイントがαで視聴時間が（β−α）／Ｄ、視聴開始ポイントがγで視聴時間が（δ−γ）／Ｄ、視聴開始ポイントがδで視聴時間が(з−δ)／Ｄ、視聴開始ポイントがεで視聴時間が(ι−ε)／Ｄ、視聴開始ポイントがзで視聴時間が(ι−ε)／Ｄの５つの視聴部分が記述される。
【０１２３】
上記のコンテンツ範囲と視聴履歴７３０を比較し、コンテンツ範囲に含まれる部分だが視聴部分でない部分を算出する。
【０１２４】
図７の場合、コンテンツのβからγの部分が未視聴部分となる。
【０１２５】
前記未視聴部分は、未視聴部分算出結果７４０となる。
【０１２６】
また、未視聴部分処理部は、オブジェクト視聴履歴作成部または蓄積部より得られるオブジェクト視聴履歴と蓄積部より得られるオブジェクトメタ情報を用いて、コンテンツ内の各オブジェクトにおける未視聴部分を算出する処理も行う。
【０１２７】
コンテンツ内の各オブジェクトに対する未視聴部分を算出する処理方法は、オブジェクトメタ情報に記述される各オブジェクトが存在する範囲において、当該オブジェクトの視聴履歴を用いて当該オブジェクトの未視聴部分を算出する。
【０１２８】
オブジェクトの未視聴部分の算出方法の概要は、まず、オブジェクト視聴履歴のコンテンツＩＤを視聴履歴のコンテンツＩＤ、オブジェクト視聴履歴の視聴開始ポイントを視聴履歴の視聴開始ポイント、オブジェクト視聴履歴の視聴時間を視聴履歴の視聴時間とみなす。
【０１２９】
そして、オブジェクトメタ情報のオブジェクト開始ポイントをコンテンツ範囲のコンテンツ開始ポイント、オブジェクトメタ情報のオブジェクト終了ポイントをコンテンツ範囲のコンテンツ終了ポイントとみなす。
【０１３０】
上記のように未視聴部分処理部において、コンテンツＩＤとオブジェクト名が一致するオブジェクトメタ情報とオブジェクト視聴履歴を用いて、コンテンツ範囲と視聴履歴から未視聴部分を算出する処理を適用することで、同コンテンツＩＤの各オブジェクトにおける未視聴部分を算出する。
【０１３１】
具体的なオブジェクトの未視聴部分の算出方法について、図８を用いて説明する。
【０１３２】
図８に示すオブジェクトメタ情報８００は、図４のオブジェクト名が犬であるオブジェクトメタ情報４１０のオブジェクトセット情報の一部を示す。また、オブジェクト視聴履歴は、図６のオブジェクト名が犬であるオブジェクト視聴履歴６１０を示す。
【０１３３】
まず、各オブジェクトに対して、未視聴部分処理部において、オブジェクトメタ情報に記載されるオブジェクト開始ポイントからオブジェクト終了ポイントの範囲内に、対象とするオブジェクトのオブジェクト視聴履歴に上記範囲に視聴した履歴が存在するかを調べる。
【０１３４】
図８の場合、オブジェクト名が犬であるオブジェクト開始ポイントのＰＴＳの値であるａから、オブジェクト開始ポイントのＰＴＳの値であるｂの範囲内において、オブジェクト名が犬であるオブジェクト視聴履歴は、ＰＴＳの値がａからａｂの範囲にオブジェクトの視聴部分８１０を持つ。また、オブジェクト視聴履歴は、ＰＴＳの値がｆからｆｇの範囲にも視聴部分８２０を持つが、オブジェクト開始ポイントとオブジェクト終了ポイントの範囲に含まれないことから、オブジェクトの視聴部分と判断しない。
【０１３５】
よって、ＰＴＳの値がａｂからｂの範囲を、オブジェクトが犬であるオブジェクトメタ情報８００の未視聴部分とする。
【０１３６】
上記の処理によって求めたオブジェクトの未視聴部分を、オブジェクト未視聴部分算出結果として記述する。
【０１３７】
オブジェクト未視聴部分算出結果は、コンテンツＩＤ、オブジェクト名、未視聴部分開始ポイント、未視聴部分終了ポイントで構成される。
【０１３８】
図８のオブジェクト未視聴部分算出結果８３０は、コンテンツＩＤがＣｏｎｔＩＤ００２、オブジェクト名が犬、未視聴部分開始ポイントがａｂ、未視聴部分終了ポイントがｂとなる。
【０１３９】
以上は、オブジェクトメタ情報の一部について未視聴部分を算出する方法である。本来、オブジェクトメタ情報は１つ以上のオブジェクトセット情報で構成される。よって、オブジェクトメタ情報に記載される全てのオブジェクトセット情報に対して、未視聴部分処理部において上記の処理を行う。
【０１４０】
未視聴部分処理部において、図４のオブジェクトメタ情報に記載される全てのオブジェクトセット情報に対して、図６のオブジェクト視聴履歴を利用して未視聴部分を算出したオブジェクト未視聴部分算出結果９００を、図９に示す。
【０１４１】
（未視聴部分結果表示方法・未視聴部分再生指示方法について）
未視聴部分処理部より未視聴部分算出結果が送られた未視聴部分再生処理部３９０は、入出力部を介して視聴部３８０へ、未視聴部分の視聴に関する表示を行う。
【０１４２】
ユーザは、上記の視聴部に表示されたコンテンツの視聴方法やコンテンツ内の未視聴部分の情報を参考にして、作業指示部を用いて未視聴部分再生処理部に対して指示を行う。以下において、再生装置からユーザへの情報表示方法と、ユーザから再生装置への指示方法について説明する。
【０１４３】
まず、再生装置からユーザへの情報表示方法について、図１０に示すように、再生装置１０２０は、接続ケーブル１０１０によって視聴部であるスピーカ１００２付属のテレビ１０００に繋がれ、再生装置からの映像と音声の出力を、ディスプレイ１００１とスピーカ１００２で再生する。
【０１４４】
次に、ユーザから再生装置への指示方法について、ユーザは作業指示部であるリモコン１０３０を用いて、リモコン側のリモコン情報送信部１０３５から、再生装置側のリモコン情報受信部１０４０に対して、赤外線によって指示の情報を送る。
【０１４５】
リモコンを用いて送る指示内容は、コンテンツの通常再生の指示を行う再生ボタン１０３１、コンテンツの停止を行う停止ボタン１０３２、ディスプレイのポップアップウインドウ１００３に表示される内容を選択するための選択ボタン１０３３、選択ボタンによって選択する箇所を決定するための決定ボタン１０３４によって表す。
【０１４６】
（未視聴部分視聴方法について）
未視聴部分再生処理部において、上記の未視聴部分結果表示方法と未視聴部分再生指示方法を用いることによって、ユーザがコンテンツの未視聴部分をもとにした視聴を行う方法を、図１１を用いて以下に説明する。
【０１４７】
まず、未視聴部分再生処理部は、図１０に示したポップアップウインドウ１００３内に、コンテンツタイトル欄１１２０、未視聴部分視聴方法選択欄１１３０、コンテンツステータスバー欄１１００を表示する。
【０１４８】
コンテンツタイトル欄は、コンテンツに定める名称を表示する。コンテンツのタイトルに関する情報に関して記述や図示は行っていないが、サーバに接続する際にコンテンツＩＤに対応するコンテンツのタイトル情報を予め取得することとする。
【０１４９】
未視聴部分視聴方法選択欄は、未視聴部分をもとにした様々な視聴方法を表示する。
【０１５０】
コンテンツステータスバー欄は、コンテンツやコンテンツに含まれる各オブジェクトの視聴状況を表示し、未視聴部分視聴方法選択欄でフォーカス１１５０を用いて選択した視聴方法に対応して視聴を行う範囲を示す選択カーソル１１１０を表示する。
【０１５１】
コンテンツステータスバー欄は、コンテンツの視聴状況を示すコンテンツステータスバー１１４０と、オブジェクトの視聴状況を示す複数のオブジェクトシンボルとコンテンツステータスバー１１４０の組で構成される。
【０１５２】
コンテンツの視聴状況を示すコンテンツステータスバーは、コンテンツ全体に対する未視聴部分の分布状況の情報を含む。ユーザが未視聴部分視聴方法を選択する際にコンテンツのコンテンツステータスバーを参考にすることによって、ユーザはコンテンツの未視聴部分を視覚的に捉えることができる。
【０１５３】
前記コンテンツステータスバー１１４０の構成を図１２に示す。コンテンツステータスバー１１４０は、コンテンツ範囲表示１２００と、未視聴部分表示１２１０と、視聴部分表示１２２０で構成される。
【０１５４】
前記コンテンツステータスバー１１４０のコンテンツ範囲表示１２００は、コンテンツ範囲の情報を用いて、コンテンツステータスバー１１４０の左端をコンテンツ範囲のコンテンツ開始ポイント、コンテンツステータスバー１１４０の右端をコンテンツ範囲のコンテンツ終了ポイントとする。
【０１５５】
オブジェクトシンボルとは、コンテンツ内の各オブジェクトに対応する静止画や動画とする。
【０１５６】
オブジェクトの視聴状況を示すコンテンツステータスバーは、各オブジェクトがコンテンツ上に存在する範囲において、未視聴部分の分布状況の情報を含む。ユーザが未視聴部分視聴方法を選択する際にオブジェクトのコンテンツステータスバーを参考にすることによって、ユーザはコンテンツ内のオブジェクトの未視聴部分を視覚的に捉えることができる。
【０１５７】
オブジェクトの視聴状況を示すコンテンツステータスバーは、オブジェクトメタ情報とオブジェクト未視聴部分算出結果をもとに作成する。
【０１５８】
作成方法は、各オブジェクトに対して、オブジェクトメタ情報を、前記コンテンツステータスバーのコンテンツ範囲と同様に扱い、各オブジェクトの視聴可能な範囲を作成する。つまり、各オブジェクトに対して１以上のコンテンツステータスバーが作成される。そして、各オブジェクトに対して、オブジェクト未視聴部分算出結果に記述される未視聴部分開始ポイントから未視聴部分終了ポイントの範囲を未視聴部分としてコンテンツステータスバー上に作成する。
【０１５９】
図５のコンテンツとオブジェクトの視聴状況をもとにしたコンテンツステータスバー欄の詳細を図１３に示す。
【０１６０】
まず、コンテンツステータスバー１３００は、コンテンツの範囲全てを示す。
【０１６１】
そして、オブジェクトシンボル１３１０で表すオブジェクト犬の視聴状況は、コンテンツステータスバー１３４０と表し、同様にオブジェクトシンボル１３２０で表すオブジェクト人の視聴状況は、コンテンツステータスバー１３５０のように表し、オブジェクトシンボル１３３０で表すオブジェクト家の視聴状況は、コンテンツステータスバー１３６０のように表す。
【０１６２】
ユーザは、ポップアップウインドウの情報をもとにして、未視聴部分を視聴する方法を未視聴部分視聴方法選択欄から、視聴対象とするオブジェクトをコンテンツステータスバー欄からフォーカスによって選び、視聴する範囲を選択カーソルによって決定し視聴を行う。
【０１６３】
図１１は、未視聴部分視聴方法として「未視聴部分を選択して視聴」、視聴するオブジェクトは「家」、視聴する範囲として選択カーソル１１１０で選択されている範囲を視聴することを示す。
【０１６４】
上記で選択した未視聴部分の視聴方法と、視聴対象とするオブジェクトのユーザに対する視聴情報表示を図１４に示す。
【０１６５】
また、本実施の形態によれば、コンテンツのオブジェクト毎の未視聴部分を確認しながら視聴することが可能となる。
【０１６６】
前記事項は、コンテンツの未視聴部分における特定の部分を示すことにより、ユーザがコンテンツの未視聴部分を選択することを、図１５を用いて説明する。
【０１６７】
図１５は、コンテンツやオブジェクトや視聴状況等を表す情報とは別に、図示していないコンテンツの重要部分１５００、重要部分１５１０の情報を表した図である。
【０１６８】
コンテンツの重要部分１５００は、オブジェクトの人１３２０を含んでおり、オブジェクトの人１３２０の視聴部分が重要部分であることを意味している。前記の視聴状況の場合、コンテンツとして重要部分を視聴しており、オブジェクトの人１３２０の重要部分も視聴していることを意味している。
【０１６９】
また、コンテンツの重要部分１５１０は、オブジェクトの犬１３１０とオブジェクトの家１３３０を含んでおり、オブジェクトの犬１３１０の視聴部分が重要部分であることを意味している。前記の視聴状況の場合、コンテンツとして重要部分を視聴しており、オブジェクトの人１３２０の重要部分は視聴しておらず、オブジェクトの家１３３０は視聴していることを意味しており、コンテンツの状況としては図１６のように示される。
【０１７０】
図１６は、３次元空間１６００における図１５の視聴状況を表している。
【０１７１】
ユーザは、オブジェクトの家１６１０を視聴している。しかし、重要部分と設定されているオブジェクト犬は、視聴されていない。
【０１７２】
前記の視聴の場合、図１６で飛び跳ねているオブジェクトの犬１６２０を視聴しないままコンテンツの視聴を終了する場合があり、上記方法によってユーザに示すことでコンテンツ内の重要部分とオブジェクトの重要部分を視聴することができる。
【０１７３】
（その他の実施の形態）
なお、上述した各実施の形態において、ユーザから再生装置への指示方法は、リモコンや、機器表面のボタンや、携帯端末等を操作することであっても良い。
【０１７４】
なお、上述した各実施の形態において、視聴履歴は通常再生の操作を記述することとしているが、特殊再生や停止の操作も記述しても良い。
【０１７５】
なお、オブジェクト判定部３５３オブジェクトを視聴したかどうかの判定は、視聴部におけるオブジェクトの表示度合いによって自由に設定してもよい。
【０１７６】
なお、コンテンツ内の視聴部分と未視聴部分をチャプターとして扱っても良い。
【０１７７】
チャプターとは、コンテンツ内の箇所を示すポイントであり、通常コンテンツの任意の箇所から再生する為に使われる。
【０１７８】
例えば、図１７のコンテンツはチャプターが設定されており、図１７（ｃ１）、図１７（ｃ２）、図１７（ｃ３）、図１７（ｃ４）、図１７（ｃ５）、図１７（ｃ６）の６箇所がある。
【０１７９】
上記コンテンツの視聴部分と未視聴部分は未視聴部分処理部において処理され、視聴部分は図１７（１）、図１７（３）、図１７（５）、未視聴部分は図１７（２）、図１７（４）、図１７（６）を得る。
【０１８０】
よって、チャプターとして設定する箇所は、視聴部分と視聴開始ポイントと未視聴部分の未視聴開始ポイントとする。
【０１８１】
つまり、視聴部分である図１７（１）のチャプターの箇所は図１７（１ｓ）、図１７（３）のチャプターの箇所は図１７（３ｓ）、図１７（５）のチャプターの値は図１７（５ｓ）とする。同様に、未視聴部分である図１７（２）のチャプターの箇所は図１７（２ｓ）、図１７（４）のチャプターの箇所は図１７（４ｓ）、図１７（６）のチャプターの値は図１７（６ｓ）とする。
【０１８２】
上記のように視聴部分と未視聴部分に対してチャプターの設定を行えば、チャプター表示を行うシステムにおいて、視聴部分と未視聴部分をチャプターとして表示できる。
【０１８３】
また、上記した各実施の形態において、コンテンツバーの表示を、チャプターを用いた表示に変えても良い。
【０１８４】
チャプターを用いた表示とは、チャプターとして設定された箇所における静止画や動画を表示することを意味する。
【０１８５】
チャプターを用いた表示を、図１８に示す。
【０１８６】
なお、上述した実施の形態において、コンテンツは多画面構成されていても良い。
【０１８７】
多画面構成とは、コンテンツのある時点において、視聴可能な画面の対象が２つ以上存在することを意味する。
【０１８８】
つまり、コンテンツが多画面構成の場合、ユーザはコンテンツの再生に合わせ、好みの画面に切り替えながらコンテンツを視聴する形態となる。
【０１８９】
上記の場合、多画面構成のコンテンツの各画面をオブジェクトとして捉えた場合、上記各実施の形態と同様、画面毎の視聴情報を履歴として記録することによって、コンテンツ内の各画面の未視聴履歴を元にした視聴を行うことができる。
【０１９０】
図１９に示すコンテンツは、多画面で構成されるコンテンツを示す。
【０１９１】
コンテンツは３画面で構成されており、画面の構成は、コンテンツの特定の区間で設定される。
【０１９２】
画面Ａ、画面Ｂはコンテンツ開始ポイント１９４０からコンテンツ終了ポイント１９５０までの区間と設定され、画面Ｃは図１９のｉから図１９のｉｉの区間と設定される。
【０１９３】
コンテンツの図１９αの地点では、画面Ａは画面情報１９１０で示され、画面Ｂは画面情報１９２０で示され、画面Ｃは画面情報１９３０で示される。
【０１９４】
ユーザは、コンテンツの図１９αの地点を視聴する際に、コンテンツに構成される画面から選択して視聴を行う。選択する画面は複数でも構わない。
【０１９５】
そして視聴を行った画面の履歴情報を記録しておき、コンテンツの視聴情報と合わせて処理することによって、コンテンツの視聴と画面の視聴を区別し、未視聴の画面の情報を元に視聴することが可能となる。
【０１９６】
前記コンテンツを多画面で構成する場合、コンテンツやオブジェクトの重要部分等を定めることによって、未視聴部分中の重要部分等をユーザが把握、視聴することができる。
【０１９７】
なお、上述した各実施の形態において、コンテンツはファイルの形態で蓄積部に蓄積するが、ストリーミングの形態でコンテンツサーバより取得しても良い。
【０１９８】
なお、上述した各実施の形態において、コンテンツの取得先はコンテンツサーバに限らず、ＣＤやＤＶＤ等の記録メディアに格納されているコンテンツ等を、データ受信部によってコンテンツ等を受け、再生装置に蓄積する形態であっても良い。
【０１９９】
なお、上記した各実施の形態は、記憶装置（ＲＯＭ、ＲＡＭ、ハードディスク等）に格納された上述した処理手順を実行可能な所定のプログラムデータが、ＣＰＵによって解釈実行されることで実現される。この場合、プログラムデータは、記録媒体を介して記憶装置内に導入されてもよいし、記録媒体上から直接実行されてもよい。なお、記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤ、ＢＤ等の光ディスク、メモリカード等の記録媒体をいう。また、記録媒体は、電話回線や搬送路等の通信媒体も含む概念である。
【０２００】
なお、上述した各実施の形態において、未視聴部分処理部、未視聴部分再生処理部等の各機能ブロックは典型的には集積回路であるＬＳＩとして実現される。これらは個別に１チップ化されても良いし、一部又は全てを含むように１チップ化されても良い。
【０２０１】
ここでは、ＬＳＩとしたが、集積度の違いにより、ＩＣ、システムＬＳＩ、スーパーＬＳＩ、ウルトラＬＳＩと呼称されることもある。
【０２０２】
また、集積回路化の手法はＬＳＩに限るものではなく、専用回路又は汎用プロセッサーで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【０２０３】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０２０４】
以上、本発明に関して最適な実施の形態について詳細な説明を行ったが、本発明は上記実施の形態に縛られるものではなく、特許請求の範囲内において想定される変更や追加等を行うことが可能であることは容易に想定できる。
【産業上の利用可能性】
【０２０５】
本発明にかかる再生装置は、コンテンツにおける未視聴部分を算出し、算出された未視聴部分を表示する機能を有し、インターネットを用いたコンテンツ配信サービス用の専用受信機等として有用である。
【０２０６】
また、上記サービスを携帯電話で行う等の用途にも応用できる。
【０２０７】
また、個人が撮影した動画を再生、表示するプレイヤ等にも応用できる。
【図面の簡単な説明】
【０２０８】
【図１】３次元空間を表すコンテンツの構成図
【図２】３次元空間を表すコンテンツの再生方法の説明図
【図３】３次元空間を表すコンテンツ未視聴部分編集表示システムの構成図
【図４】オブジェクトメタ情報の構成とコンテンツ内のオブジェクトとの対応構成図
【図５】コンテンツの視聴とコンテンツ内のオブジェクトの視聴との違いの説明図
【図６】視聴履歴とオブジェクト視聴履歴の記述方法の説明図
【図７】コンテンツの未視聴部分の算出方法の説明図
【図８】オブジェクト未視聴部分算出結果の算出方法の説明図
【図９】オブジェクト未視聴部分算出結果の説明図
【図１０】コンテンツの表示装置と指示装置の説明図
【図１１】オブジェクト単位の再生方法の説明図
【図１２】コンテンツステータスバーの構成図
【図１３】コンテンツステータスバー欄の構成図
【図１４】オブジェクト単位における「未視聴部分を選択して視聴」を選んだ場合の再生表示の説明図
【図１５】コンテンツとオブジェクトの重要部分を表すコンテンツステータスバー欄の構成図
【図１６】重要部分を含む３次元空間のユーザ視聴とオブジェクトの状況を表す構成図
【図１７】コンテンツの視聴状況とチャプター指定の構成図
【図１８】チャプターの仕組みを利用した未視聴部分の視聴表示方法の説明図
【図１９】多画面を表すコンテンツの構成図
【符号の説明】
【０２０９】
１００    ３次元空間
１１０    人
１２０    犬
１３０    家
２００    ３次元空間
２１０    人
２２０    犬
２３０    家
３００    コンテンツサーバ
３０１    コンテンツ
３０２    オブジェクトメタ情報
３１０    ネットワーク
３２０    再生装置
３３０    データ受信部
３４０    蓄積部
３４１    視聴履歴
３４２    オブジェクト視聴履歴
３５０    再生部
３５１    コンテンツ範囲取得部
３５２    視聴履歴作成部
３５３    オブジェクト判定部
３５４    オブジェクト視聴履歴作成部
３６０    未視聴部分処理部
３７０    入出力部
３８０    視聴部
３８１    作業指示部
３９０    未視聴部分再生処理部
４００    コンテンツ
４１０    オブジェクトメタ情報
５００    視聴部分
５１０    視聴したオブジェクト
６００    視聴履歴
６１０    オブジェクト視聴履歴
６２０    オブジェクト視聴履歴
６３０    オブジェクト視聴履歴
８００    オブジェクトメタ情報
８１０    視聴部分
８２０    視聴部分
８３０    オブジェクト未視聴部分算出結果
９００    オブジェクト未視聴部分算出結果
１０００    テレビ
１１００    コンテンツステータスバー欄
１１１０    選択カーソル
１１２０    コンテンツタイトル欄
１１３０    未視聴部分視聴方法選択欄
１１４０    コンテンツステータスバー
１１５０    フォーカス
１２００    コンテンツ範囲表示
１２１０    未視聴部分表示
１２２０    視聴部分表示
１３００    コンテンツステータスバー
１３１０    オブジェクトシンボル
１３２０    オブジェクトシンボル
１３３０    オブジェクトシンボル
１３４０    コンテンツステータスバー
１３５０    コンテンツステータスバー
１３６０    コンテンツステータスバー
１５００    重要部分
１５１０    重要部分
１６００    ３次元空間
１６１０    家
１６２０    犬
１９００    多画面
１９１０    画面情報
１９２０    画面情報
１９３０    画面情報
１９４０    コンテンツ開始ポイント
１９５０    コンテンツ終了ポイント
【図１】
2006164415.tif 000003
【図２】
2006164415.tif 000004
【図３】
2006164415.tif 000005
【図４】
2006164415.tif 000006
【図５】
2006164415.tif 000007
【図６】
2006164415.tif 000008
【図７】
2006164415.tif 000009
【図８】
2006164415.tif 000010
【図９】
2006164415.tif 000011
【図１０】
2006164415.tif 000012
【図１１】
2006164415.tif 000013
【図１２】
2006164415.tif 000014
【図１３】
2006164415.tif 000015
【図１４】
2006164415.tif 000016
【図１５】
2006164415.tif 000017
【図１６】
2006164415.tif 000018
【図１７】
2006164415.tif 000019
【図１８】
2006164415.tif 000020
【図１９】
2006164415.tif 000021